【手続補正書】
【提出日】平成31年4月17日(2019.4.17)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
無認可無線周波数スペクトル帯域に関連付けられたアップリンク送信時間期間を識別すること、ここにおいて、前記アップリンク送信時間期間は、物理アップリンク共有チャネル（ＰＵＳＨＣ）送信、物理アップリンク制御チャネル（ＰＵＣＣＨ）送信、物理ランダムアクセスチャネル（ＰＲＡＣＨ）送信、またはスケジューリング要求（ＳＲ）送信のうちの任意のものの継続時間に対応する、と、
サウンディング基準信号のアップリンク送信に関連付けられたダウンリンク送信においてインジケータを受信することと、
前記インジケータに少なくとも部分的に基づいて前記アップリンク送信時間期間に対するサウンディング基準信号時間期間の位置を識別することと、
前記サウンディング基準信号時間期間の間に前記無認可無線周波数スペクトル帯域にわたって前記サウンディング基準信号を送信することと
を備える、方法。
【請求項２】
前記アップリンク送信時間期間の最後にあるように前記サウンディング基準信号時間期間の前記位置を決定すること
を更に備える、請求項１に記載の方法。
【請求項３】
割り当てられたＰＵＳＣＨの最後のシンボル、又はＰＵＣＣＨの最後の１つ若しくは２つのシンボルの間にあるように前記サウンディング基準信号時間期間の前記位置を決定すること
を更に備える、請求項２に記載の方法。
【請求項４】
前記アップリンク送信時間期間の最初にあるように前記サウンディング基準信号時間期間の前記位置を決定すること
を更に備える、請求項１に記載の方法。
【請求項５】
復調基準信号（ＤＭＲＳ）ベースのプリアンブルとして前記サウンディング基準信号を送信することを更に備える、請求項４に記載の方法。
【請求項６】
前記アップリンク送信時間期間の最後の後であるように前記サウンディング基準信号時間期間の前記位置を決定すること
を更に備え、前記サウンディング基準信号時間期間が少なくとも１つのシンボルを備える、請求項１に記載の方法。
【請求項７】
前記アップリンク送信時間期間の最初より前であるように前記サウンディング基準信号時間期間の前記位置を決定すること
を更に備える、請求項１に記載の方法。
【請求項８】
チャネル使用ビーコン信号（ＣＵＢＳ）プリアンブルとして前記サウンディング基準信号を送信すること
を更に備える、請求項７に記載の方法。
【請求項９】
特殊物理ダウンリンク制御チャネル（ＰＤＣＣＨ）内で前記インジケータを受信すること
を更に備え、前記特殊ＰＤＣＣＨが前記サウンディング基準信号を送信するための複数の周波数サブバンドを示す、請求項１に記載の方法。
【請求項１０】
特殊ＰＤＣＣＨ内で前記インジケータを受信すること
を更に備え、前記特殊ＰＤＣＣＨが前記サウンディング基準信号を送信するようにワイヤレスデバイスに示し、前記ワイヤレスデバイスが前記アップリンク送信時間期間の間に送信するようにスケジュールされていない、請求項１に記載の方法。
【請求項１１】
前記サウンディング基準信号時間期間が、前記アップリンク送信時間期間に関連付けられた第１のアップリンクサブフレームに対応する、請求項１に記載の方法。
【請求項１２】
前記アップリンク送信時間期間を識別することが、ワイヤレスデバイスにより、前記アップリンク送信時間期間が前記ワイヤレスデバイス向けにスケジュールされていないことを識別することを備え、
前記方法が、前記アップリンク送信時間期間が前記ワイヤレスデバイス向けにスケジュールされていないことに少なくとも部分的に基づいて、特殊サブフレームの一部分の間にあるように前記サウンディング基準信号時間期間の前記位置を決定することを更に備える、
請求項１に記載の方法。
【請求項１３】
受信された前記インジケータに少なくとも部分的に基づいて、前記サウンディング基準信号時間期間の間に前記サウンディング基準信号を送信するために、周波数リソースと時間リソースとを識別することを更に備える、請求項１に記載の方法。
【請求項１４】
ワイヤレス通信のための装置であって、
無認可無線周波数スペクトル帯域に関連付けられたアップリンク送信時間期間を識別するための手段、ここにおいて、前記アップリンク送信時間期間は、物理アップリンク共有チャネル（ＰＵＳＨＣ）送信、物理アップリンク制御チャネル（ＰＵＣＣＨ）送信、物理ランダムアクセスチャネル（ＰＲＡＣＨ）送信、またはスケジューリング要求（ＳＲ）送信のうちの任意のものの継続時間に対応する、と、
サウンディング基準信号のアップリンク送信に関連付けられたダウンリンク送信においてインジケータを受信するための手段と、
前記インジケータに少なくとも部分的に基づいて前記アップリンク送信時間期間に対するサウンディング基準信号時間期間の位置を識別するための手段と、
前記サウンディング基準信号時間期間の間に前記無認可無線周波数スペクトル帯域にわたり前記サウンディング基準信号を送信するための手段と
を備える、装置。
【請求項１５】
ワイヤレス通信のためのコードを記憶するコンピュータ可読媒体であって、前記コードは、実行されると、コンピュータに、請求項１乃至１３のいずれか１項に従う方法を実行させる
命令を備える、コンピュータ可読媒体。
【手続補正２】
【補正対象書類名】明細書
【補正対象項目名】０１８１
【補正方法】変更
【補正の内容】
【０１８１】
[0191]本明細書の説明は、当業者が本開示を作成又は使用することを可能にするように提供される。本開示の様々な修正は当業者には容易に明らかになり、本明細書で定義された一般原理は、本開示の範囲から逸脱することなく他の変形形態に適用される場合がある。従って、本開示は、本明細書に記載された例及び設計に限定されるべきでなく、本明細書で開示された原理及び新規の特徴に一致する最も広い範囲を与えられるべきである。
以下に、本願出願の当初の特許請求の範囲に記載された発明を付記する。
［Ｃ１］
ワイヤレス通信の方法であって、
共有無線周波数スペクトル帯域に関連付けられたアップリンク送信時間期間を識別することと、
基準信号のアップリンク送信に関連付けられたダウンリンク送信においてインジケータを受信することと、
前記アップリンク送信時間期間に対する基準信号時間期間を識別することと、
識別された前記基準信号時間期間の間に前記共有無線周波数スペクトル帯域にわたって前記基準信号を送信することと
を備える、方法。
［Ｃ２］
前記アップリンク送信時間期間の最後にあるように前記基準信号時間期間を決定すること
を更に備える、［Ｃ１］に記載の方法。
［Ｃ３］
割り当てられた物理アップリンク共有チャネル（ＰＵＳＣＨ）の最後のシンボル、又は物理アップリンク制御チャネル（ＰＵＣＣＨ）の最後の１つ若しくは２つのシンボルの間にあるように前記基準信号時間期間を決定すること
を更に備える、［Ｃ２］に記載の方法。
［Ｃ４］
前記アップリンク送信時間期間の最初にあるように前記基準信号時間期間を決定すること
を更に備える、［Ｃ１］に記載の方法。
［Ｃ５］
復調基準信号（ＤＭＲＳ）ベースのプリアンブルとして前記基準信号を送信することを更に備える、［Ｃ４］に記載の方法。
［Ｃ６］
前記アップリンク送信時間期間の最後の後であるように前記基準信号時間期間を決定すること
を更に備え、前記基準信号時間期間が少なくとも１つのシンボルを備える、［Ｃ１］に記載の方法。
［Ｃ７］
前記アップリンク送信時間期間の最初より前であるように前記基準信号時間期間を決定すること
を更に備える、［Ｃ１］に記載の方法。
［Ｃ８］
チャネル使用ビーコン信号（ＣＵＢＳ）プリアンブルとして前記基準信号を送信すること
を更に備える、［Ｃ７］に記載の方法。
［Ｃ９］
前記基準信号時間期間が、特殊サブフレームの間にあり、少なくとも１つのシンボルを備える、［Ｃ７］に記載の方法。
［Ｃ１０］
特殊物理ダウンリンク制御チャネル（ＰＤＣＣＨ）内で前記インジケータを受信すること
を更に備え、前記特殊ＰＤＣＣＨが前記基準信号を送信するための複数の周波数サブバンドを示す、［Ｃ１］に記載の方法。
［Ｃ１１］
特殊ＰＤＣＣＨ内で前記インジケータを受信すること
を更に備え、前記特殊ＰＤＣＣＨが前記基準信号を送信するようにワイヤレスデバイスに示し、前記ワイヤレスデバイスが前記アップリンク送信時間期間の間に送信するようにスケジュールされていない、［Ｃ１］に記載の方法。
［Ｃ１２］
前記基準信号時間期間が、前記アップリンク送信時間期間に関連付けられた第１のアップリンクサブフレームに対応する、［Ｃ１］に記載の方法。
［Ｃ１３］
前記アップリンク送信時間期間を識別することが、ワイヤレスデバイスにより、前記アップリンク送信時間期間が前記ワイヤレスデバイス向けにスケジュールされていないことを識別することを備え、
前記方法が、前記アップリンク送信時間期間が前記ワイヤレスデバイス向けにスケジュールされていないことに少なくとも部分的に基づいて、特殊サブフレームの一部分の間にあるように前記基準信号時間期間を決定することを更に備える、
［Ｃ１］に記載の方法。
［Ｃ１４］
前記基準信号時間期間が前記アップリンク送信時間期間を備える、［Ｃ１］に記載の方法。
［Ｃ１５］
前記基準信号時間期間がＣＣＡ免除送信時間期間を備える、［Ｃ１］に記載の方法。
［Ｃ１６］
前記ＣＣＡ免除送信時間期間が、アップリンクサブフレームの少なくとも一部分を備え、周期的にスケジュールされる、［Ｃ１５］に記載の方法。
［Ｃ１７］
前記インジケータが、周期性、オフセット、又は周波数ホッピングパターンのうちの少なくとも１つを備える、［Ｃ１］に記載の方法。
［Ｃ１８］
前記基準信号時間期間が特殊サブフレームの一部分を備える、［Ｃ１７］に記載の方法。
［Ｃ１９］
特殊サウンディング基準信号（ＳＲＳ）フレームが前記基準信号時間期間を備える、［Ｃ１７］に記載の方法。
［Ｃ２０］
前記インジケータが、前記特殊ＳＲＳフレームに関連付けられた特殊ＳＲＳフレーム番号を備える、［Ｃ１９］に記載の方法。
［Ｃ２１］
前記基準信号時間期間が、周期的又は非周期的にスケジュールされる、［Ｃ１］に記載の方法。
［Ｃ２２］
受信された前記インジケータに少なくとも部分的に基づいて、前記基準信号時間期間の間に前記基準信号を送信するために、周波数リソースと時間リソースとを識別することを更に備える、［Ｃ１］に記載の方法。
［Ｃ２３］
前記インジケータが、ＰＤＣＣＨ又はＰＦＦＩＣＨのうちの１つを介して受信される、［Ｃ１］に記載の方法。
［Ｃ２４］
ワイヤレス通信のための装置であって、
プロセッサと、
前記プロセッサと電子通信しているメモリと、
前記メモリに記憶され、前記プロセッサによって実行されると、
共有無線周波数スペクトル帯域に関連付けられたアップリンク送信時間期間を識別することと、
基準信号のアップリンク送信に関連付けられたダウンリンク送信においてインジケータを受信することと、
前記アップリンク送信時間期間に対する基準信号時間期間を識別することと、
前記識別された基準信号時間期間の間に前記共有無線周波数スペクトル帯域にわたり前記基準信号を送信することと
を前記装置に行わせるように動作可能な命令と
を備える、装置。
［Ｃ２５］
前記命令が、
前記アップリンク送信時間期間の最後にあるように前記基準信号時間期間を決定すること
を行わせるように動作可能である、［Ｃ２４］に記載の装置。
［Ｃ２６］
前記命令が、
前記アップリンク送信時間期間の最初にあるように前記基準信号時間期間を決定すること
を行わせるように動作可能である、［Ｃ２４］に記載の装置。
［Ｃ２７］
前記命令が、
前記アップリンク送信時間期間の最後の後であるように前記基準信号時間期間を決定すること
を行わせるように動作可能であり、前記基準信号時間期間が少なくとも１つのシンボルを備える、［Ｃ２４］に記載の装置。
［Ｃ２８］
特殊サウンディング基準信号（ＳＲＳ）フレームが前記基準信号時間期間を備える、［Ｃ２４］に記載の装置。
［Ｃ２９］
ワイヤレス通信のための装置であって、
共有無線周波数スペクトル帯域に関連付けられたアップリンク送信時間期間を識別するための手段と、
基準信号のアップリンク送信に関連付けられたダウンリンク送信においてインジケータを受信するための手段と、
前記アップリンク送信時間期間に対する基準信号時間期間を識別するための手段と、  前記識別された基準信号時間期間の間に前記共有無線周波数スペクトル帯域にわたり前記基準信号を送信するための手段と
を備える、装置。
［Ｃ３０］
前記アップリンク送信時間期間の最後にあるように前記基準信号時間期間を決定するための手段
を更に備える、［Ｃ２９］に記載の装置。
［Ｃ３１］
割り当てられた物理アップリンク共有チャネル（ＰＵＳＣＨ）の最後のシンボル、又は物理アップリンク制御チャネル（ＰＵＣＣＨ）の最後の１つ若しくは２つのシンボルの間にあるように前記基準信号時間期間を決定するための手段
を更に備える、［Ｃ３０］に記載の装置。
［Ｃ３２］
前記アップリンク送信時間期間の最初にあるように前記基準信号時間期間を決定するための手段
を更に備える、［Ｃ２９］に記載の装置。
［Ｃ３３］
復調基準信号（ＤＭＲＳ）ベースのプリアンブルとして前記基準信号を送信するための手段
を更に備える、［Ｃ３２］に記載の装置。
［Ｃ３４］
前記アップリンク送信時間期間の最後の後であるように前記基準信号時間期間を決定するための手段
を更に備え、前記基準信号時間期間が少なくとも１つのシンボルを備える、［Ｃ２９］に記載の装置。
［Ｃ３５］
前記アップリンク送信時間期間の最初より前であるように前記基準信号時間期間を決定するための手段
を更に備える、［Ｃ２９］に記載の装置。
［Ｃ３６］
チャネル使用ビーコン信号（ＣＵＢＳ）プリアンブルとして前記基準信号を送信するための手段
を更に備える、［Ｃ３５］に記載の装置。
［Ｃ３７］
前記基準信号時間期間が、特殊サブフレームの間にあり、少なくとも１つのシンボルを備える、［Ｃ３５］に記載の装置。
［Ｃ３８］
特殊物理ダウンリンク制御チャネル（ＰＤＣＣＨ）内で前記インジケータを受信するための手段
を更に備え、前記特殊ＰＤＣＣＨが前記基準信号を送信するための複数の周波数サブバンドを示す、［Ｃ２９］に記載の装置。
［Ｃ３９］
特殊ＰＤＣＣＨ内で前記インジケータを受信するための手段
を更に備え、前記特殊ＰＤＣＣＨが前記基準信号を送信するようにワイヤレスデバイスに示し、前記ワイヤレスデバイスが前記アップリンク送信時間期間の間に送信するようにスケジュールされていない、［Ｃ２９］に記載の装置。
［Ｃ４０］
前記基準信号時間期間が、前記アップリンク送信時間期間に関連付けられた第１のアップリンクサブフレームに対応する、［Ｃ２９］に記載の装置。
［Ｃ４１］
前記アップリンク送信時間期間を識別するための前記手段が、ワイヤレスデバイスにより、前記アップリンク送信時間期間が前記ワイヤレスデバイス向けにスケジュールされていないことを識別するための手段を備え、
前記装置が、前記アップリンク送信時間期間が前記ワイヤレスデバイス向けにスケジュールされていないことに少なくとも部分的に基づいて、特殊サブフレームの一部分の間にあるように前記基準信号時間期間を決定するための手段を更に備える、
［Ｃ２９］に記載の装置。
［Ｃ４２］
前記基準信号時間期間が前記アップリンク送信時間期間を備える、［Ｃ２９］に記載の装置。
［Ｃ４３］
前記基準信号時間期間がＣＣＡ免除送信時間期間を備える、［Ｃ２９］に記載の装置。
［Ｃ４４］
前記ＣＣＡ免除送信時間期間が、アップリンクサブフレームの少なくとも一部分を備え、周期的にスケジュールされる、［Ｃ４３］に記載の装置。
［Ｃ４５］
前記インジケータが、周期性、オフセット、又は周波数ホッピングパターンのうちの少なくとも１つを備える、［Ｃ２９］に記載の装置。
［Ｃ４６］
前記基準信号時間期間が特殊サブフレームの一部分を備える、［Ｃ４５］に記載の装置。
［Ｃ４７］
特殊サウンディング基準信号（ＳＲＳ）フレームが前記基準信号時間期間を備える、［Ｃ４５］に記載の装置。
［Ｃ４８］
前記インジケータが、前記特殊ＳＲＳフレームに関連付けられた特殊ＳＲＳフレーム番号を備える、［Ｃ４７］に記載の装置。
［Ｃ４９］
前記基準信号時間期間が、周期的又は非周期的にスケジュールされる、［Ｃ２９］に記載の装置。
［Ｃ５０］
受信された前記インジケータに少なくとも部分的に基づいて、前記基準信号時間期間の間に前記基準信号を送信するために、周波数リソースと時間リソースとを識別するための手段
を更に備える、［Ｃ２９］に記載の装置。
［Ｃ５１］
前記インジケータが、ＰＤＣＣＨ又はＰＦＦＩＣＨのうちの１つを介して受信される、［Ｃ２９］に記載の装置。
［Ｃ５２］
ワイヤレス通信のためのコードを記憶する非一時的コンピュータ可読媒体であって、前記コードが、
共有無線周波数スペクトル帯域に関連付けられたアップリンク送信時間期間を識別することと、
基準信号のアップリンク送信に関連付けられたダウンリンク送信においてインジケータを受信することと、
前記アップリンク送信時間期間に対する基準信号時間期間を識別することと、
前記識別された基準信号時間期間の間に前記共有無線周波数スペクトル帯域にわたり前記基準信号を送信することと
を行うように実行可能な命令を備える、非一時的コンピュータ可読媒体。